(57)【要約】      （修正有）【課題】装着が容易で省スペース化が可能なヒンジ装置を提供する。【解決手段】固定部３と、固定部３に延設される屈曲部２を含み、固定部３には複数の組付孔３１〜３３が設けられ、屈曲部２は、第１部２１と、第１部２１に延設される第２部２２と、第２部２２に延設される第３部２３を含み、枢動部１は柱状をなしており、且つ第１部２１の側辺が延伸されてなる。固定部３には第１組付孔３１と第２組付孔３２が設けられ、第１組付孔３１の孔形状は、大径端と小径端を有する瓢箪型である。第１部２１から第２部２２にかけて貫通孔２４が設けられ、第３部２３のうち固定部３に対し延伸接続される両端には補強リブ３４が設けられる。ヒンジ装置を筐体に装着する際に、予め装着スペースを広く確保しておく必要がないので、筐体内の空間が拡大し、当該扉を結合する際の外観に優れる。【選択図】図１
0003215459.tif 000002
【実用新案登録請求の範囲】
【請求項１】
固定部と、固定部に延設される屈曲部を含み、当該固定部には複数の組付孔が設けられ、
当該屈曲部は、第１部と、第１部に延設される第２部と、第２部に延設される第３部を含み、
当該枢動部は柱状をなしており、且つ当該第１部の側辺が延伸されてなるヒンジ装置。
【請求項２】
当該固定部には第１組付孔と第２組付孔が設けられ、
当該第１組付孔の孔形状は、大径端と小径端を有する瓢箪型である請求項１記載のヒンジ装置。
【請求項３】
当該第１部から第２部にかけて貫通孔が設けられ、
当該第３部のうち固定部に対し延伸接続される両端には補強リブが設けられる請求項１記載のヒンジ装置。
【考案の詳細な説明】
【技術分野】
【０００１】
本考案は、２つの固体を接続するとともに、これらの間で回動する機械装置に関する。本発明のヒンジは、箱体又は筐体を扉に接続するための連続的に屈曲するプレート材料からなる接続部材であり、特に、装着が容易で省スペース化が可能なヒンジである。
【背景技術】
【０００２】
通常、筐体と扉をつなぐ枢動部材は、当該筐体と当該扉を接続するヒンジによって実現される。従来のヒンジは、２つの独立した部材である固定部と接続部からなる。これらは接続後に互いに枢動可能となるよう、回転軸を介して接続される。当該固定部と接続部は、一端がそれぞれ当該筐体の側辺と扉の側辺に枢結される。当該扉の閉止時において、当該ヒンジは扉を当該筐体に対して開閉するよう枢動可能とする。
【０００３】
現在市販されている納骨壇の場合、扉にランプや装飾品が取り付けられていることから、扉の厚みや体積重量比が通常の扉よりも重厚となる。通常、納骨壇の扉の厚みは５〜７ｃｍにも達するため、扉の開閉時に当該ヒンジ部分が重力を受けて異音が発生するほか、長期間経過すると枢動の滑らかさもなくなる。扉の開閉時に発生する異音を軽減するためには、減衰式ヒンジ装置を設けて開閉時の異音を抑え、故人への不敬を回避することが考えられる。しかし、このような減衰式ヒンジ装置は製造コストが嵩むだけでなく、減衰機構の追加によって当該固定部が分厚くなってしまう。この場合、当該筐体には、当該減衰式ヒンジ装置を装着するためのスペースを予め確保しておく必要がある。また、当該減衰式ヒンジ装置は当該筐体の内部に突出して当該筐体の開口を過度に狭めてしまうため、当該筐体の体積と幅を拡大しなければ、当該筐体の開口を広く取ることができない。しかし、当該筐体の体積と幅を拡大した場合、既存の空間に対する筐体の配置可能数が減少してしまう。また、扉が分厚いことから、当該減衰式ヒンジ装置が当該筐体と当該扉の間から部分的に露出することになり、外観的に劣る。以上から、改良と強化の必要性に迫られている。
【考案の概要】
【考案が解決しようとする課題】
【０００４】
通常の納骨壇に対する一般的な従来型ヒンジや減衰式ヒンジ装着時の課題を解決すべく、本考案は、枢動用に納骨壇の本体と扉に装着可能であり、小型化、デザインがシンプルで美しい、低コスト、装着が容易との利点を有するともに、納骨壇の本体内部における装着スペースが縮小され、且つ外観にも優れるとの効果を実現可能な一体成型タイプのヒンジ装置を提供することを主たる目的とする。
【課題を解決するための手段】
【０００５】
本考案で用いる技術手段では、固定部と、固定部に延設される屈曲部と、屈曲部に延設される枢動部を含み、当該固定部には複数の組付孔が設けられ、当該屈曲部は、第１部と、第１部に延設される第２部と、第２部に延設される第３部を含み、当該枢動部は柱状をなしており、且つ当該第１部の側辺が延設してなり、当該固定部は筐体に結合され、当該枢動部は扉の組付溝に結合され、当該扉が当該枢動部を回動中心として回動可能となるよう、枢動部は固定ブロックによって当該組付溝に枢着されるヒンジ装置を提供する。
【０００６】
本考案にかかるヒンジ装置にはランプや装飾品が取り付けられており、本体から扉のランプに電源供給がなされるよう、筐体と扉の間には電線が接続されている。本考案では、電線の外部への露出を回避して外観の美しさを保つ機能が発揮されるよう、当該第１部から第２部にかけて貫通孔が設けられており、当該貫通孔に電線が挿通される。
【図面の簡単な説明】
【０００７】
【図１】図１は、本考案の斜視図である。
【図２】図２は、本考案と筐体及び扉の分解図である。
【図３】図３は、本考案と筐体及び扉の組み合わせを示す図である。
【図４】図４は、本考案と筐体及び扉を組み合わせた閉止状態での実施を示す図である。
【図５】図５は、本考案と筐体及び扉を組み合わせた開放状態での実施を示す図である。
【考案を実施するための形態】
【０００８】
本考案の技術的特徴及び実用上の効果が詳細に理解され、明細書の内容にしたがって実施可能となるよう、以下に詳細に説明する。
【０００９】
本考案はヒンジ装置に関する。図１〜図４に示す実施例を参照して、当該ヒンジ装置は、固定部３及び固定部３に延設される屈曲部２を含む。当該屈曲部２の一端には枢動部１が延設されており、当該固定部３には第１組付孔３１と第２組付孔３２，３３が設けられている。当該第１組付孔３１の孔形状は、大径端と小径端からなる瓢箪型である。当該屈曲部２は、第１部２１と、第１部２１に延設される第２部２２と、第２部２２に延設される第３部２３を含む。当該第１部２１から第２部２２にかけては貫通孔２４が設けられている。当該第３部２３のうち、固定部３に対し延伸接続される両端には補強リブ３４が設けられている。また、当該枢動部１の両端には第１接続部１１と第２接続部１２が延設されている。当該第１接続部１１及び第２接続部１２は、当該屈曲部２の側辺両端に突出するよう形成されている。当該固定部３は筐体６に結合され、当該枢動部１は扉５の組付溝５２に結合される。なお、当該枢動部１が当該扉５の回動中心となるよう、枢動部１は固定ブロック４によって当該組付溝５２内に配置される。
【００１０】
図２、図３及び図４に示すように、上述のヒンジ装置は筐体６と扉に組み付けられる。当該扉５は第１側壁５１ａと第２側壁５１ｂを含む。また、当該固定ブロック４はブロック体であり、一方の端縁にスロット４１が設けられている。当該第２側壁５１ｂの一端には切欠き５１ｂ１が１つ以上設けられている。また、当該第１側壁５１ａにおける一方の側辺の内縁部分には、断面が半円形状をなすスロット５３が設けられている。当該スロット５３は当該固定ブロック４のスロット４１と対応して、当該枢動部１の第１接続部１１及び第２接続部１２を挟み込むことが可能である。当該ヒンジ装置は、当該第１接続部１１及び第２接続部１２が当該スロット５３に配置されると、当該２つの固定ブロック４を当該スロット５３に対応させることで第１接続部１１及び第２接続部１２をそれぞれ覆う。次に、緊締部材（図示しない）によって固定ブロック４を第１側壁５１ａに緊締することで、ヒンジ装置の第１接続部１１と第２接続部１２が第１側壁５１ａに枢着される。続いて、第１側壁５１ａのうちスロット５３が設けられる面に第２側壁５１ｂを対応させ、緊締部材（図示しない）によって第１側壁５１ａと第２側壁５１ｂを結合する。すると、当該第２側壁５１ｂの切欠き５１ｂ１がスロット５３と対応して、ヒンジ装置の屈曲部２と固定部３が切欠き５１ｂ１から外部に露出するような組付溝５２が形成される。また、筐体６の内側壁には掛合部材７が予め設けられている。まず、当該固定部３における第１組付孔３１の大径端を筐体６の掛合部材７に突き合わせて挿入し、続いて、掛合部材７のロッド体を第１組付孔３１の小径端に押し込むように押圧する。これにより、固定部３を掛合部材７に対し位置決めしてから、ネジ８を第２組付孔３２，３３にそれぞれ挿入することで、固定部３を筐体６の内側壁６ａに固定する。以上により、扉５と筐体６に対するヒンジ装置の枢結が完了する。
【００１１】
本考案の利点について、図４及び図５を参照する。
【００１２】
１．本考案のヒンジ装置は一体構造をなしており、固定部３と枢動部１の第１接続部１１及び第２接続部１２がそれぞれ筐体６と扉５に枢結される。当該ヒンジ装置は小型であり、且つ連続的な屈曲プレート形状をなしているため、筐体への装着に際して予め大きめの装着スペースを確保しておく必要がない。閉止状態において、枢動部１と屈曲部２は組付溝５２内に隠匿され、筐体６の外側に突出することがない。また、筐体６の開口部分を広く取ることができる。
【００１３】
２．本考案では筐体６内部の装着スペースが縮小されるため、筐体６の体積及び幅が縮小される。よって、既存の空間内における筐体の配置可能数が増え、多数の骨壺や祭具、位牌を安置可能となる。
【００１４】
３．本考案のヒンジ装置はデザインがシンプルな一体成型タイプのため、製造が容易であり、且つ低コストである。
【００１５】
４．本考案におけるヒンジ装置の枢動部１は扉５の組付溝５２内に配置されるため、扉５の開放時にヒンジ装置が外部に露出することがない。よって、ヒンジ装置が筐体６と扉５の精緻なデザインに影響することがなく、より美しい外観となる。
【００１６】
５．本考案のヒンジ装置では、扉５と筐体６をつなぐ電線（図示しない）を挿通するための貫通孔２４が当該第１部２１から第２部２２にかけて設計されている。当該屈曲部２は連続的に屈曲するよう設計されていることから、電線を覆い隠して外観の美しさを保つ機能が発揮される。
【００１７】
６．本考案のヒンジ装置における当該第３部２３のうち、固定部３に対し延伸接続される端部には補強リブ３４が設けられている。当該補強リブ３４は、第３部２３と固定部３との接続に関して曲げ強さを補強し、ヒンジ装置の耐荷重を向上させることで、ヒンジ装置の変形を防止する機能を発揮する。
【００１８】
以上は本考案の好ましい実施例にすぎず、本考案を何らかの形態に制限するものではない。当業者が本考案で提示した技術的特徴の範囲を逸脱することなく、本考案で開示した技術内容を用いて実施する部分的な変更又は補足等の等価の実施例は、いずれも本考案の技術的特徴の範囲に属する。
【符号の説明】
【００１９】
１        枢動部
２        屈曲部
３        固定部
１１      第１接続部
１２      第２接続部
２１      第１部
２２      第２部
２３      第３部
２４      貫通孔
３１      第１組付孔
３２，３３  第２組付孔
３４      補強リブ
６        筐体
６ａ      内側壁
５        扉
５２      組付溝
５１ａ    第１側壁
５１ｂ    第２側壁
４１      スロット
５１ｂ１  切欠き
５３      スロット
７        掛合部材
【図１】
0003215459.tif 000003
【図２】
0003215459.tif 000004
【図３】
0003215459.tif 000005
【図４】
0003215459.tif 000006
【図５】
0003215459.tif 000007